(57)【要約】【課題】会議における議事録の作成を効率化する。【解決手段】予約された会議とそのプロパティを格納する会議管理データベース（１０１）と、一ないし複数の辞書を格納する辞書リポジトリ（１０２）と、会議管理データベースを参照して会議を選択する会議選択部（１０３）と、選択された会議のプロパティに応じて辞書リポジトリから辞書を選択する辞書選択部（１０４）と、選択された辞書を利用して議事録作成を支援する議事録作成部（１０６）を有し、議事録作成対象の会議のプロパティに適したカナ漢字変換辞書を自動的に選択・設定し、議事録の入力に用いる。【選択図】図１
2010231731.tif 000002
【特許請求の範囲】
【請求項１】
予約された会議のプロパティを格納する会議管理データベースと、
一または複数の辞書を格納する辞書リポジトリと、
前記会議管理データベースを参照して、議事録作成の対象とする会議を選択すると共に該選択された会議のプロパティを取得する会議選択部と、
前記取得された会議のプロパティに応じて前記辞書リポジトリから辞書を選択する辞書選択部と、
前記選択された辞書を利用して前記議事録作成を支援する議事録作成部と
を備えた会議管理システム。
【請求項２】
前記辞書リポジトリが格納する辞書がカナ漢字変換用の辞書であり、
前記議事録作成部が、前記選択された辞書をカナ漢字変換処理に利用することを特徴とする請求項１に記載の会議管理システム。
【請求項３】
前記辞書選択部において選択された辞書を加工することにより、前記議事録作成部で使用される辞書を構築する辞書構築部を更に有することを特徴とする請求項１または２に記載の会議管理システム。
【請求項４】
予約された会議のプロパティを会議管理データベースに格納する段階と、
一または複数の辞書を辞書リポジトリに格納する段階と、
前記会議管理データベースを参照して、議事録作成の対象とする会議を選択すると共に該選択された会議のプロパティを取得する段階と、
前記取得された会議のプロパティに応じて前記辞書リポジトリから辞書を選択する段階と、
前記選択された辞書を利用して前記議事録作成を支援する段階と
を含む会議管理方法。
【請求項５】
前記辞書リポジトリが格納する辞書がカナ漢字変換用の辞書であり、
前記選択された辞書をカナ漢字変換処理に利用することを特徴とする請求項４に記載の会議管理方法。
【請求項６】
前記選択された辞書を加工することにより、前記議事録作成で使用される辞書を構築する段階を更に含むことを特徴とする請求項４または５に記載の会議管理方法。
【請求項７】
請求項４ないし６の何れか１項記載の会議管理方法の各段階をコンピュータに実行させるためのプログラム。
【発明の詳細な説明】
【技術分野】
【０００１】
本発明は、会議管理システム及び方法等に関し、特に、議事録の作成支援機能を有する会議管理システム及び方法等に関する。
【背景技術】
【０００２】
議事録の作成支援機能を有する装置の一例が、特開２００６−２６８８００号公報（特許文献１参照）に開示されている。この従来技術に係る装置は、会議参加者に負担をかけることなく議事録作成者の意図を加味した議事録の作成を可能とするものであり、本願に添付した図７に示すように、撮影手段で撮影された会議映像を日時情報に関連付けて保持する会議映像保持部４と、所定の入力手段から入力された情報を前記日時情報と関連付けるメモ編集部２と、前記日時情報を保持した状態で前記入力手段から入力された情報を編集する議事録編集部３と、議事録表示部５を有する。
【０００３】
この従来の会議管理システムによれば、議事録の作成者は、所定の入力手段からの文字列（テキスト）を入力し、会議の進行内容の会議映像への関連付けを保持した状態で議事録を作成し、議事録の記述内容と会議映像との間にリンクをはることができる。これにより、入力した文字列が会議のどの場面に対応するのかを後で容易に確認することが可能となる。
【先行技術文献】
【特許文献】
【０００４】
【特許文献１】特開２００６−２６８８００号公報
【特許文献２】特開２００６−２６７９３４号公報
【特許文献３】特開２００８−１５２５２６号公報
【特許文献４】特開２００８−２２５１９１号公報
【特許文献５】特開平０８−１２９５４７号公報
【発明の概要】
【発明が解決しようとする課題】
【０００５】
従来の会議管理システムには、キーボードからの文字列の入力自体に多くの労力と時間を要するという課題があった。具体的には、会議の最中に議事メモをとる場合、高速かつ正確な入力が重要であるが、日本語をはじめ非アルファベット言語の入力においては、カナ漢字変換やＩＭＥ(Input Method Editor)を用いてキーストロークを文字列に変換する処理を必要とする。
【０００６】
ここで、上述のキーストロークを文字列に変換する処理は、一般には一対多の変換であり、必ずしも変換精度は100%ではない。そのため、文字列を入力する過程で対話的な修正操作が必須であり、文字列入力の高速性と正確性を損なう原因となっている。特に、会議のトピックに関わる専門用語や、参加者の名前をはじめとする固有名詞は、カナ漢字変換やＩＭＥの一般辞書に登録されていないことが多いため、さらに入力の精度と速度を低下させる大きな要因となっていた。
【０００７】
もちろん、会議のトピックに関わる専門用語や各種の固有名詞をあらかじめ手作業で辞書化しておき、その辞書を議事録作成の際に用いることにより、これら入力に関する問題をある程度解消することはできる。しかしながら、会議の度に手作業で辞書を用意して議事録作成用に設定するという作業は多大な時間と労力を要し、実際上、そのような作業を会議の度に行うことは困難であった。
【０００８】
本発明は、上記課題に鑑みてなされたものであり、その目的は、上述した従来技術の課題を解決するために、会議のトピックや参加者等の会議のプロパティに応じて適切な辞書を自動的に選択または構築することにより、議事録や議事メモ等の作成作業を効率化することが可能な会議管理システム及び方法等を提供することにある。
【課題を解決するための手段】
【０００９】
本発明の会議管理システムは、上記課題を解決するために、予約された会議のプロパティを格納する会議管理データベースと、一または複数の辞書を格納する辞書リポジトリと、前記会議管理データベースを参照して、議事録作成の対象とする会議を選択すると共に該選択された会議のプロパティを取得する会議選択部と、前記取得された会議のプロパティに応じて前記辞書リポジトリから辞書を選択する辞書選択部と、前記選択された辞書を利用して前記議事録作成を支援する議事録作成部とを備えて構成される。
【００１０】
本発明の会議管理方法は、上記課題を解決するために、予約された会議のプロパティを会議管理データベースに格納する段階と、一または複数の辞書を辞書リポジトリに格納する段階と、前記会議管理データベースを参照して、議事録作成の対象とする会議を選択すると共に該選択された会議のプロパティを取得する段階と、前記取得された会議のプロパティに応じて前記辞書リポジトリから辞書を選択する段階と、前記選択された辞書を利用して前記議事録作成を支援する段階とを含んで構成される。
【発明の効果】
【００１１】
本発明によれば、議事録を作成する際に参照する辞書として、会議のプロパティに応じた辞書を設定することが可能になり、これによりキーストロークを文字列に変換する際の変換精度を改善することができる。
従って、例えば、議事録を作成する際に、対象とする会議のトピックや出席者などのプロパティに応じて適切に選択・構築された辞書、特にカナ漢字変換・ＩＭＥの辞書を利用できるので、文書の作成者は、高速かつ正確に文字列を入力することができ、よって文書の作成作業を効率化することが可能になる。
【図面の簡単な説明】
【００１２】
【図１】本発明の第１の実施の形態による会議管理システムの構成を示す機能ブロック図である。
【図２】本発明の第１の実施の形態における会議管理データベース１０１に格納された会議のプロパティの一例を示す図である。
【図３】本発明の第１の実施の形態における辞書リポジトリ１０２の構成例を示す図である。
【図４】本発明の第１の実施の形態による会議管理システムの動作（会議管理方法）の流れを示す流れ図である。
【図５】本発明の第２の実施形態による会議管理システムの構成を示す機能ブロック図である。
【図６】本発明の実施例に係る会議管理システムの構成を示す図である。
【図７】従来技術の議事録作成支援装置の構成を示すブロック図である。
【発明を実施するための形態】
【００１３】
次に、本発明の実施の形態について図面を参照して詳細に説明する。
（第１の実施の形態）
図１に、本発明の第１の実施の形態による会議管理システムの機能ブロックを示す。
図１を参照すると、本会議管理システムは、会議予約を管理するための情報が格納された会議管理データベース１０１と、一または複数の辞書を格納する辞書リポジトリ１０２と、会議管理データベース１０１を参照して議事録作成の対象とする会議を選択する会議選択部１０３と、選択された会議のプロパティに応じて辞書リポジトリ１０２の中から適切なユーザ辞書を選択する辞書選択部１０４と、カナ漢字変換部１０５および文字列入力部１０６からなる議事録作成部１１０と、カナ漢字変換用のシステム辞書１０７と、上記辞書リポジトリの中から選択されたユーザ辞書により構築されるユーザ辞書１０８を有して構成される。
【００１４】
図２は、会議予約を管理するための情報として会議管理データベース１０１に格納されている会議のプロパティの一例を示す図であり、各会議のプロパティには、項目として、「会議名称」、「日時」、「場所」、「出席者」、「メモ」が含まれる。ここで、図２（ａ）は、会議名称が「開発進捗会議」の会議のプロパティを示し、図２（ｂ）は、会議名称が「出荷判定」の会議のプロパティを示し、そして図２（ｃ）は、会議名称が「国際学会発表練習」の会議のプロパティを示す。
【００１５】
図３は、辞書リポジトリ１０２の内部構成の一例を示す図である。図３を参照すると、ユーザ辞書リポジトリ１０２は、ユーザ辞書１０２２、ユーザ辞書１０２３、ユーザ辞書１０２４、ユーザ辞書１０２５を格納しており、その各々は、インデックス１０２１に紐付けられている。インデックス１０２１は、紐付いている辞書の種類と、辞書の分野、およびキーワードを格納している。キーワードは、正規表現形式で記述されており、会議の各種プロパティとのマッチングに使われる。
【００１６】
本実施の形態では、ユーザ辞書１０２２は、例えば、ソフトウェア開発で使用する専門用語を格納した専門用語辞書であり、そのような専門用語辞書であることは、辞書の種類の欄の「専門用語」、分野の欄の「ソフトウェア開発」により表現されている。キーワードの欄には、「進捗」、「仕様」、「レビュー」が選言を表す縦棒「｜」で区切られて配列された正規表現の形式で記述されており、これは、ユーザ辞書１０２２の選択条件の記述となっている。
【００１７】
ユーザ辞書１０２３は、例えば、「いまきゅうれ→今給黎」という一語だけからなる姓名のユーザ辞書である。辞書の種類の欄には、「人名」との記述がある。この実施の形態の例では、「今給黎」氏は、品質Ｇのメンバーであるため、このユーザ辞書を選択する条件として、キーワードの項に、「品質Ｇ」および「出荷判定」という二語が論理和(OR)の形式で並んで記述されている。
【００１８】
ユーザ辞書１０２４は、例えば、かな文字入力モードで英単語を本来のアルファベット綴りで入力してしまった場合に、そのまま正しい綴りに変換できるようにするための外国語ユーザ辞書である。分野的には応用物理学関連の学術用語である。
【００１９】
このユーザ辞書１０２４は、英単語が日本語と混在して出現する状況で、カナ漢字変換モードの切替（ローマ字カナ入力モードとアルファベット入力モード）を行わずに英単語を入力できるので、入力を高速に行うのに役立つ。ここでは、次の二単語が格納されている。一つは、「れｗりたｂぇ」を”rewritable”に変換するためのエントリ、もう一つは「ぺｒふぉｒまんせ」を”performance”に変換するためのエントリである。これらのエントリにより、モード切替を忘れて、ローマ字カナ入力モードのまま英単語 “rewritable”、”performance”を入力してしまっても、一度の変換で正しいアルファベット綴りを得ることができるのである。
【００２０】
ユーザ辞書１０２５は、光記録媒体関係の学術用語の専門用語辞書である。
なお、上述の各ユーザ辞書は、上述の事例に限定されるものではなく、ユーザが議事録を作成すべき会議の内容に合わせて任意に作成して辞書リポジトリ１０２に格納することが可能である。
【００２１】
次に、図４を参照して、本会議管理システムの動作（会議管理方法）を説明する。
図４は、本会議管理システムの動作の流れを示す流れ図である。
まず、ユーザは、図１の会議選択部１０３を介して、会議管理データベース１０１を参照し、予約された会議の中から、議事録作成の対象とする会議を選択する（ステップＳ１０１）。会議が選択されると、会議選択部１０３は、会議管理データベース１０１を参照し、選択された会議の詳細情報である会議のプロパティを取得する（ステップＳ１０２）。
【００２２】
続いて、辞書選択部１０４は、会議選択部１０３が取得した会議のプロパティを受け取ってユーザ辞書リポジトリ１０２を参照し、ユーザ辞書リポジトリ１０２内に格納されたユーザ辞書の中から、会議選択部１０３から受け取った会議のプロパティに最も適合するユーザ辞書を選択・取得する（ステップＳ１０３）。辞書選択部１０４が取得したユーザ辞書には、選択された会議のトピックに合致した専門用語や、会議の出席者の名前をはじめとする固有名詞などが格納されている。
【００２３】
続いて、辞書選択部１０４は、辞書選択部１０４が取得したユーザ辞書を、カナ漢字変換部１０５が実施するカナ漢字変換処理で使用されるユーザ辞書１０８として設定し（Ｓ１０４）、これにより議事録作成部１１０のカナ漢字変換部１０５から利用可能とする。
【００２４】
続いて、辞書選択部１０４によりユーザ辞書１０８が設定されると、議事録作成部１１０は、ユーザ辞書１０８を利用してユーザによる議事録の作成作業を支援する。この議事録の作成作業を支援する過程で、カナ漢字変換部１０５は、システム辞書１０７と、選択された会議に適合したユーザ辞書１０８とを参照して、カナ漢字変換処理を実施する。このとき、カナ漢字変換部１０５は、議事録作成の対象として選択された会議に適合したユーザ辞書１０８を参照するので、カナ漢字変換処理における変換精度が高くなる。このため、議事録作成部１１０における文字列入力を高速かつ正確に行うことが可能になる。
【００２５】
ここで、図２に示す例を参照して、上述の辞書選択部１０４の動作(S103, S104)を具体的に補足説明する。
なお、上述の会議選択部１０３により、図４の流れ図のステップＳ１０１にて図２（ａ）の会議が選択され、ステップＳ１０２にて会議管理データベース１０１より図２（ａ）に示す会議のプロパティが取得できたものとする。
【００２６】
会議のプロパティが取得されると、ステップＳ１０３にて、この取得されたプロパティに対応（適合）するユーザ辞書が辞書デポジトリ１０２の中から選択されるが、この選択処理は次のように進む。
まず、図２（ａ）のプロパティの会議名称、出席者、メモの各欄の文字列と、辞書リポジトリ１０２のインデックス１０２１の各々に格納されたキーワードとの間でマッチングが行われる。
【００２７】
この例では、会議名称の「開発進捗」と、インデックス番号１のキーワード「進捗」のマッチングがとれるため、「開発進捗」、「山田」、「田中」、「青木」、「今給黎」、「週間進捗報告」といったプロパティ中の文字列と、インデックス中のキーワードとのマッチングが得られる。その結果、辞書選択部１０４は、インデックス番号１の辞書を選択し、ユーザ辞書１０２２を辞書リポジトリ１０２から取得する（ステップＳ１０３）。そして、辞書選択部１０４は、上記取得したユーザ辞書１０２２をカナ漢字変換部１０５のユーザ辞書１０８として設定する（ステップＳ１０４）。
【００２８】
この後、ユーザは、議事録作成部１１０を使用して、ソフトウェア開発進捗会議中にメモをとったり、議事録を作成したりするが、その際にはカナ漢字変換部１０５を使用して日本語入力を行う。この際に、会議のトピックに合致した専門用語を格納したユーザ辞書１０２２がユーザ辞書１０８として設定されているので、議事録作成部１１０において精度よくカナ漢字変換が行えるのである。一方、仮に、ユーザ辞書１０８に適切な辞書が設定されていなければ、ユーザは会議中に出現する専門用語のカナ漢字変換に手間取り、その結果、入力の速度と正確さが大きく落ちることに注意されたい。
【００２９】
また、上述のステップＳ１０１にて、会議選択部１０３により、図２（ｂ）に示す会議（会議名称：出荷判定）が選択された場合、同様のステップを踏んで、ユーザ辞書１０２３が選択される。この場合、会議のプロパティの出席者の欄にある出席者名「品質G」なる文字列と、インデックス番号２中のキーワード「品質Ｇ」とがマッチングする。このインデックス番号に対応するユーザ辞書１０２３は、「いまきゅうれ」→「今給黎」の人名変換を行う内容を格納している。これは、品質Ｇに「今給黎」という姓のメンバーがいることを想定した内容となっている。
【００３０】
そして、このユーザ辞書１０２３が、カナ漢字変換部１０５で参照されるユーザ辞書１０８として設定される。その結果、議事録作成部１１０において議事録や議事メモを作成する際に、出席者の姓「今給黎」が精度よくカナ漢字変換により得られるのである。品質Gのメンバーが出席者となる会議では、グループメンバである今給黎氏が出席する可能性が高く、発言者を記録する際に、「いまきゅうれ」→「今給黎」に対応した変換が頻繁に必要となるが、ユーザ辞書１０２３を参照すれば、議事録作成部１１０において、このような入力を高速かつ精度よく行うことができるのである。
【００３１】
また、上述のステップＳ１０１にて、会議選択部１０３により、図２（ｃ）に示す会議（会議名称：学会発表練習）が選択された場合、同様なマッチングプロセスを経て、インデックス番号３に紐付けられたユーザ辞書１０２４と、インデックス番号４に紐付けられたユーザ辞書１０２５が選択される。前者は、インデックス番号３のキーワードがメモ中の単語「英語」なる文字列とマッチングした結果により選択されたものであり、後者はインデックス番号４のキーワードが会議名称中の「学会」なる文字列とマッチングした結果により選択されたものである。ユーザ辞書１０２４は、誤って日本語入力モードで入力された英単語を正しいアルファベット列に変換するためのエントリを有し、ユーザ辞書１０２５は、当該分野（光記録媒体）の専門用語を格納した辞書である。
【００３２】
辞書選択部１０４により複数のユーザ辞書が選択された場合は、それら全てがカナ漢字変換部１０５のユーザ辞書１０８として設定される。ユーザは、辞書リポジトリ１０２から選択された複数のユーザ辞書をユーザ辞書１０８として設定する機能を使ってもよいし、あるいは、辞書リポジトリ１０２から選択された複数のユーザ辞書を一つの辞書にマージしてからユーザ辞書１０８として設定しても良い。
【００３３】
図２（ｃ）の会議は、光記録媒体分野における学会発表練習であるが、プレゼンは英語で行われるものとする。会議中は、当該分野の専門用語を含む質疑応答が、日本語と英語の両方で行われることになる。ユーザ辞書１０２４が設定されているので、日本語入力モードをオンにしたまま英語を入力しても、議事録作成部１１０において通常の変換操作で正しい英語を得ることができ、英語での質疑応答に関する入力が容易になる。また、当該分野の専門用語辞書であるユーザ辞書１０２５が設定されているので、議事録作成部１１０において専門用語の入力が高速かつ高精度に行える利点がある。
【００３４】
（第２の実施の形態）
次に、図５を参照して、本発明の第２の実施の形態を説明する。
図５は、本発明の第２の実施の形態による会議管理システムの構成を示す図である。図に示すように、第２の実施の形態による会議管理システムは、上述の第１の実施の形態の図１に示す構成において、さらに、辞書選択部１０４で選択された辞書を加工してユーザ辞書１０８を構築する辞書構築部１０９を有し、この辞書構築部１０９を有する点が第１の実施の形態との構成上の相違点である。その他の構成は、上述の第１の実施の形態と同様であるので、その説明は省略する。
【００３５】
ここで、辞書構築部１０９は、辞書選択部１０４から一ないし複数のユーザ辞書を受け取り、これを加工してユーザ辞書１０８として設定する。加工の内容は、例えば、複数のユーザ辞書のマージ、ユーザ辞書から特定分野に属するエントリの抽出などである。特定分野に属するエントリを抽出する際は、辞書中のエントリに与えられている分野情報を用いればよい。抽出すべき分野は、会議管理データベース１０１を参照して会議選択部１０３が取得した会議のプロパティ情報に含まれる分野情報として指定される。
【００３６】
このように、辞書構築部１０９は、辞書リポジトリ１０２中のユーザ辞書をそのままユーザ辞書１０８として設定するだけでなく、そこから必要なエントリを抽出したり、複数のユーザ辞書から抽出したエントリをマージすることなどにより、新しいユーザ辞書を構築し、それをユーザ辞書１０８として設定する。
【００３７】
本発明の第２の実施の形態によれば、例えば、辞書リポジトリ１０２内に大語彙の専門用語辞書を一つだけ格納しておき、会議のトピックに応じてその中から出現頻度が高いと思われる専門用語を抽出して、語彙数の小さな専門用語辞書を作成し、それをユーザ辞書１０８として設定するように実現することも容易である。あるいは、辞書リポジトリ１０２内に大語彙の人名辞書を一つだけ用意しておき、会議の出席者等、出現が予想される人名をそこから抽出し、語彙数の小さな人名辞書を作成し、それをユーザ辞書１０８として設定するように実現することも容易である。
【００３８】
これらのケースでは、作成した専門用語辞書や人名辞書を一時的なものとし、例えば使用後は削除する形態で運用してもよい。語彙数が大きな辞書をそのまま使うと、同音異表記語など、不要な曖昧性を多数含むため、必ずしも高い変換精度が得られないが、このように会議のトピックや参加者等のプロパティに応じて語彙を絞り込んでユーザ辞書１０８を構成することにより、必要十分な語彙を有するユーザ辞書を構成することができ、カナ漢字変換部１０５での変換処理において高い変換精度を得ることができる。
【００３９】
また、上述の実施の形態において、辞書リポジトリ１０２に格納するユーザ辞書として、会議管理システム利用者個人が自分の環境で作成し管理している個人用のユーザ辞書を収集し格納するように構成しても良い。即ち、一般に、カナ漢字変換辞書は、各利用者が、自分で利用するために個々に作成・管理していることが多い。このような個人用のカナ漢字変換ユーザ辞書を、一定間隔で自動的にコピーするなどして、辞書リポジトリ１０２に格納してもよい。
【００４０】
また、インデックスとしては、当該ユーザ辞書の作成・管理者である個人を同定するようなインデックスを付与してもよい。例えば、姓または姓名をキーワードとして格納してもよいし、システムで管理しているユーザＩＤをインデックスとしても良い。後者の場合、インデックス１０２１には、「辞書の種類」、「分野」、「キーワード」と同じレベルの項として「ユーザID」という項を設け、その項に対する値として、当該辞書に対応するユーザのユーザＩＤの数値を格納すればよい。
【００４１】
そして、辞書選択部１０４は、ステップＳ１０３において、選択された会議のプロパティを参照し、当該会議の全参加者に対応するユーザ辞書を選択するように構成してもよい。一般には、複数の参加者に対応して、複数のユーザ辞書が選択される。これらは、各々、カナ漢字変換部のユーザ辞書として設定される。または、これら複数のユーザ辞書をマージして一つの辞書としたものがカナ漢字変換部のユーザ辞書として設定されてもよい。会議の場で使われる語彙は、結局は、いずれかの出席者が使う語彙である。
【００４２】
出席者の各々は、会議の場で自分で使う語彙は、日常業務で使うために、自分自身で作成・管理するカナ漢字変換用のユーザ辞書に登録済みであることが期待できる。そこで、出席者が個々に作成・管理しているユーザ辞書に登録されている語彙の全てを、カナ漢字変換部のユーザ辞書１０８として設定することにより、会議で出現する語彙の大部分を該ユーザ辞書によりカバーできることが期待できる。このような実施とその効果は、カナ漢字変換用辞書では、各ユーザがそれぞれ個人用のユーザ辞書を作成・管理していることが期待できるという、カナ漢字変換用辞書に特有の事情を有効に活用したものであることに注意されたい。
【００４３】
[実施例]
図６は、本発明の一実施例の構成を示す図である。本実施例は、発明の第一の実施の形態に対応する。
図６に示すように、本発明の実施例による会議管理システムは、入力装置Ａ１と、プログラム制御により動作する中央処理装置（ＣＰＵ）Ａ２と、ランダムアクセスメモリ（ＲＡＭ）Ａ３と、ハードディスクＡ４と、出力装置Ａ５を有して構成されている。
【００４４】
ハードディスクＡ４には、カナ漢字変換のユーザ辞書を格納した辞書リポジトリＡ４１と、予約された会議情報を格納した会議管理データベースＡ４２と、実行形式を格納したプログラムファイルＡ４３が格納されている。ここで、辞書リポジトリＡ４１は、図１の辞書リポジトリ１０２に対応し、会議管理データベースＡ４２は、図１の会議管理データベース１０１に対応する。
【００４５】
プログラムファイルＡ４３は、ランダムアクセスメモリＡ３に読み込まれ、中央処理装置Ａ２の動作を制御する。このプログラムファイルＡ４３は、図１の会議選択部１０３、辞書選択部１０４、議事録作成部１１０の各機能を中央処理装置Ａ２の機能として実現する。入力装置Ａ１は、キーボード等の入力装置であり、出力装置Ａ５は、ディスプレイ端末等の出力装置である。
【００４６】
本実施例の動作は、基本的には図２に示した第一の実施の形態の動作に対応する。
まず、ハードディスクから、プログラムファイルＡ４３がランダムアクセスメモリＡ３に読み込まれ、メモリ中の領域Ａ３７に展開される。この領域Ａ３７の中には、図に示すように、会議選択プログラムＡ３１、辞書選択プログラムＡ３２、会議データベース管理プログラムＡ３３、カナ漢字変換プログラムＡ３４、議事録作成支援プログラムＡ３５、および全体制御プログラムＡ３６が展開される。
【００４７】
次に、全体制御プログラムＡ３６の制御のもとに、中央処理装置Ａ２が動作を開始する。まず、図２の第一の実施例のステップＳ１０１に対応する処理が進められる。会議選択プログラムＡ３１は、全体制御プログラムＡ３６から呼び出されるサブプログラムとして構成されており、全体制御プログラムＡ３６の制御の下に、中央処理装置Ａ２は、会議選択プログラムＡ３１の制御下に入る。
【００４８】
会議選択プログラムＡ３１の制御のもと、中央処理装置Ａ２は、会議データベース管理プログラムＡ３３をサブプログラムとして呼び出し、会議一覧の取得を指示する。すると、中央処理装置Ａ２の制御は、呼び出された会議データベース管理プログラムＡ３３の制御下に入る。会議データベース管理プログラムＡ３３の制御の下、中央処理装置Ａ２は、会議スケジュールを格納した会議管理データベースＡ４２を参照して、予約済みの会議の一覧を取り出し、ランダムアクセスメモリＡ３内部に格納する。
【００４９】
次に、会議データベース管理プログラムＡ３３の制御の下、中央処理装置Ａ２は、呼び出し元にリターンする。これにより、中央処理装置Ａ２の制御は、会議データベース管理プログラムＡ３３から会議選択プログラムＡ３１に戻る。引き続き、会議選択プログラムＡ３１の制御のもと、中央処理装置Ａ２は、予約済み会議の一覧をランダムアクセスメモリＡ３から取り出して、出力装置Ａ５を用いてユーザに提示する。
【００５０】
さらに、中央処理装置Ａ２は、会議選択プログラムＡ３１の制御のもと、入力装置Ａ１を制御して、ユーザが、提示した会議のいずれを選択したかの情報を受け取り、その情報をランダムアクセスメモリＡ３内部に格納し、全体制御プログラムＡ３６にリターンする。以上が、第一の実施例の処理のステップＳ１０１に対応する処理である。
【００５１】
次に、中央処理装置Ａ２は、全体制御プログラムＡ３６の制御のもと、図２のステップＳ１０２に対応する処理を進める。具体的には、ランダムアクセスメモリＡ３内部に格納された選択会議情報を読み出し、会議データベース管理プログラムＡ３３をサブプログラムとして呼び出し、選択された会議の持つプロパティの取得を指示する。
【００５２】
サブプログラムとしての呼び出しにより、中央処理装置Ａ２の制御は、会議データベース管理プログラムＡ３３の下に移る。会議DB管理プログラムＡ３３の制御のもと、中央処理装置Ａ２は、ハードディスクＡ４に格納されている会議管理データベースＡ４２を参照し、選択された会議のプロパティ情報を取得して、ランダムアクセスメモリＡ３内部に一時的に格納する。その後、会議データベース管理プログラムＡ３３は、呼び出し元にリターンする。この制御により、中央処理装置Ａ２は、呼び出し元である全体制御プログラムＡ３６の制御下に再び入る。以上がステップＳ１０２に対応する処理である。
【００５３】
次に、中央処理装置Ａ２は、全体制御プログラムＡ３６の制御のもと、図２のステップＳ１０３に対応する処理を進める。具体的には、中央処理装置Ａ２は、先にランダムアクセスメモリＡ３内部に格納された選択会議のプロパティ情報を参照して、辞書選択プログラムＡ３２をサブプログラムとして呼び出して、プロパティ情報に対応するユーザ辞書の選択を指示する。サブプログラムとしての呼び出しにより、中央処理装置Ａ２は、辞書選択プログラムＡ３２の制御下に入る。
【００５４】
辞書選択プログラムＡ３２の制御のもと、中央処理装置Ａ２は、与えられたプロパティ情報と、ハードディスクＡ４に記録された辞書リポジトリ内部のユーザ辞書とのマッチングを行う。中央処理装置Ａ２は、最もよくマッチングしたユーザ辞書を見つけて、ランダムアクセスメモリＡ３の内部に一時的に格納する。マッチングの方法は、例えば、第一の実施の携帯にて説明したとおりである。辞書選択プログラムＡ３２の制御のもと、中央処理装置Ａ２は、どの辞書とマッチングがとれたか、の情報をランダムアクセスメモリＡ２に一時的に格納して、制御を呼び出し元の全体制御プログラムＡ３１に戻す。以上が図２のステップＳ１０３に対応する処理である。
【００５５】
次に、中央処理装置Ａ２、全体制御プログラムＡ３６の制御のもと、図２のステップＳ１０４に対応する処理を進める。具体的には、中央処理装置Ａ２は、先にランダムアクセスメモリＡ３内部に格納された辞書の情報を参照して、辞書リポジトリＡ４１から対応するユーザ辞書にアクセスする。そして、このユーザ辞書を複製して、カナ漢字変換用ユーザ辞書A45とする。以上が、図２のステップＳ１０４に対応する処理となる。
【００５６】
その後、全体制御プログラムＡ３６の制御のもと、中央処理装置Ａ２が、議事録作成支援プログラムＡ３５をサブプログラムとして呼び出す。サブプログラムとしての呼び出しにより、中央処理装置Ａ２の制御は、議事録作成支援プログラムＡ３５の制御下に移る。議事録作成支援プログラムＡ３５の制御により、中央処理装置Ａ２は、ユーザが議事録や会議中の議事メモをキーボードから入力するのを支援する。具体的には、入力装置Ａ１上でユーザのキー入力を同定すると、適宜カナ漢字変換プログラムＡ３４をサブプログラムとして呼び出して、カナ漢字変換処理を進める。
【００５７】
中央処理装置Ａ２は、カナ漢字変換プログラムＡ３４の制御のもと、カナ漢字変換用システム辞書Ａ３４およびカナ漢字変換用ユーザ辞書Ａ３５を参照して、ユーザの入力キーの列を日本語に変換していく。カナ漢字変化用システム辞書Ａ３４は、会議のトピックや出席者に対応して適切な内容を有するように構成されているため、変換精度が向上し、結果として、テキスト入力の速度と精度が大きく向上する利点があるのは、上述の通りである。以上で、本発明の実施例を説明した。
【００５８】
上述の実施形態および実施例では、本発明を会議管理システムとして表現したが、本発明は、上述の会議管理システムの動作（会議管理方法）の各段階をコンピュータに実行させるためのプログラムとして表現することができ、またコンピュータを上述の会議管理システムの各構成部として機能させるためのプログラムとして表現することができる。
【００５９】
以上、本発明の実施の形態および実施例を説明したが、本発明は上述の実施形態に限定されるものではなく、本発明の要旨を逸脱しない範囲で種々の変形が可能である。
例えば、上述の実施の形態および実施例では、カナ漢字変換を例に具体的に説明したが、本発明の適用範囲は、カナ漢字変換だけでなく、キー入力に対し何らかの変換を行う入力システム全般に適用できる。例えば、中国語入力におけるピンインから漢字列への変換や、韓国語におけるアルファベットからハングル文字列への変換にも全く同様に適用可能である。このような場合にも、会議のトピックや出席者に対応した適切な変換用のユーザ辞書を用いることは入力効率向上にきわめて有効である。
【００６０】
また、本発明は、一般に、議事録作成支援システムにおいて用いられる各種の辞書を対象とするように構成し実現することができる。カナ漢字変換やピンイン漢字変換のような入力変換用辞書以外にも、例えばスペルチェック用辞書を対象に本発明を実施することは容易である。具体的には、辞書リポジトリには、各種の専門分野に応じたスペルチェック用辞書を格納しておき、対象の会議のプロパティに応じて適切な辞書を選択し、議事録作成支援システム中のスペルチェック機能が使う辞書として設定すればよい。
【００６１】
この場合、図６の構成において、カナ漢字変換プログラムＡ３４の代わりにスペルチェックプログラムを利用するように構成すればよい。また、カナ漢字変換用システム辞書Ａ４４，Ａ４５は、それぞれ、スペルチェック用システム辞書と、スペルチェック用ユーザ辞書として構成すればよい。そして、上述の動作の説明において、カナ漢字変換プログラムを、全てスペルチェックプログラムに読み替えればよい。
【００６２】
もちろん、カナ漢字変換の辞書とスペルチェック用の辞書の双方を使うように構成することも容易である。その場合、カナ漢字変換プログラムＡ３４にカナ漢字変換機能とスペルチェック機能の双方を持たせて構成して動作させればよい。
このように、本発明は、様々に変形して実施することが可能である。
【産業上の利用可能性】
【００６３】
本発明は、ユーザ辞書を参照する議事録作成支援機能を持つシステムに広く適用することができる。
【符号の説明】
【００６４】
１０１；会議管理データベース
１０２；辞書リポジトリ
１０３；会議選択部
１０４； 辞書選択部
１０５；カナ漢字変換部
１０６；文字列入力部
１０７；システム辞書
１０８；ユーザ辞書
１０９；辞書構築部
１１０；議事録作成部
Ａ１；入力装置
Ａ２；中央処理装置（ＣＰＵ）
Ａ３；ランダムアクセスメモリ（ＲＡＭ）
Ａ４；ハードディスク
Ａ５；出力装置
【図１】
2010231731.tif 000003
【図２】
2010231731.tif 000004
【図３】
2010231731.tif 000005
【図４】
2010231731.tif 000006
【図５】
2010231731.tif 000007
【図６】
2010231731.tif 000008
【図７】
2010231731.tif 000009